(57)【要約】【課題】携帯電話機のように、色補正データを保持して、この色補正データを、画面カラーの色補正に適用することのできない画面表示機器で、色を忠実に再現すること。【解決手段】インターネットを介して、各画面表示機器に接続されるシステムであって、  各画面表示装置に画面補正用画像を表示し、この画面補正用画像の色を、カラーシートに印刷されている画面補正用画像の色に合うように、ユーザに目視で色補正させることにより、各画面表示機器の色補正データを作成する機能と、  作成した各画面表示機器の色補正データを保管する機能と、  各Ｗｅｂサイトから、各画像表示機器への画像データを受け取り、各画像表示機器への画像データを、各画面表示機器の色補正データをもとに、色補正を施した後に、各画像表示機器に表示する機能とを有することを特徴とするカラーマネージメントシステム。【選択図】なし【特許請求の範囲】
【請求項１】
インターネットを介して、各画面表示機器に接続されるシステムであって、
各画面表示装置に画面補正用画像を表示し、この画面補正用画像の色を、カラーシートに印刷されている画面補正用画像の色に合うように、ユーザに目視で色補正させることにより、各画面表示機器の色補正データを作成する機能と、
作成した各画面表示機器の色補正データを保管する機能と、
各Ｗｅｂサイトから、各画像表示機器への画像データを受け取り、各画像表示機器への画像データを、各画面表示機器の色補正データをもとに、色補正を施した後に、各画像表示機器に表示する機能とを有することを特徴とするカラーマネージメントシステム。
【請求項２】
インターネットを介して、各画面表示機器に接続されるシステムが実行する方法であって、
各画面表示装置に画面補正用画像を表示し、この画面補正用画像の色を、カラーシートに印刷されている画面補正用画像の色に合うように、ユーザに目視で色補正させることにより、各画面表示機器の色補正データを作成する工程と、
作成した各画面表示機器の色補正データを保管する工程と、
各Ｗｅｂサイトから、各画像表示機器への画像データを受け取り、各画像表示機器への画像データを、各画面表示機器の色補正データをもとに、色補正を施した後に、各画像表示機器に表示する工程とを含むことを特徴とするカラーマネージメント方法。
【発明の詳細な説明】
【技術分野】
【０００１】
本発明は、カラーマネージメントに関する。
【背景技術】
【０００２】
一般に、インターネット通販を扱う企業にとって、この通販に用いられるパソコンや携帯電話機などの画面表示機器で、商品の色を忠実に再現することは重要な課題となる。画面表示機器に表示される商品の色が、実際の色とかけ離れているようでは、この商品を、インターネット通販で販売することは難しい。
【０００３】
ところで、画面表示機器で色を忠実に再現するために用いられるカラーマネージメントには、次の２つ手法が一般的である。
【０００４】
第１の手法は、画面の色を測色器で測色して、プロファイルと呼ばれる色補正用のデータ（以後、色補正データと云う）を作成して、この色補正データをもとに、画面カラーを色補正するものである。
【０００５】
第２の手法は、画面の色を測色器なしで対象物と比較して、色補正データを作成して、この色補正データをもとに、画面カラーを色補正するものである。
【０００６】
しかしながら、画面表示機器の中には、携帯電話機のように、色補正データを保持して画面カラーの色補正に適用することのできないものがある。また、画面表示機器の個体差、使用環境差をなどを考慮すると、各画面表示機器の画面カーラーの色補正に、一律の色補正データを適用することは無意味である。
【０００７】
従って、現状の携帯電話機は、当然ながら、色を忠実に再現できているとは言い難い。
【発明の開示】
【発明が解決しようとする課題】
【０００８】
本発明は斯かる背景技術に鑑みてなされたもので、携帯電話機のように、色補正データを保持して、この色補正データを、画面カラーの色補正に適用することのできない画面表示機器で、色を忠実に再現することを課題とする。
【課題を解決するための手段】
【０００９】
本発明において上記課題を達成するために、まず請求項１の発明では、インターネットを介して、各画面表示機器に接続されるシステムであって、
各画面表示装置に画面補正用画像を表示し、この画面補正用画像の色を、カラーシートに印刷されている画面補正用画像の色に合うように、ユーザに目視で色補正させることにより、各画面表示機器の色補正データを作成する機能と、
作成した各画面表示機器の色補正データを保管する機能と、
各Ｗｅｂサイトから、各画像表示機器への画像データを受け取り、各画像表示機器への画像データを、各画面表示機器の色補正データをもとに、色補正を施した後に、各画像表示機器に表示する機能とを有することを特徴とするカラーマネージメントシステムとしたものである。
【００１０】
また請求項２の発明では、インターネットを介して、各画面表示機器に接続されるシステムが実行する方法であって、
各画面表示装置に画面補正用画像を表示し、この画面補正用画像の色を、カラーシート
に印刷されている画面補正用画像の色に合うように、ユーザに目視で色補正させることにより、各画面表示機器の色補正データを作成する工程と、
作成した各画面表示機器の色補正データを保管する工程と、
各Ｗｅｂサイトから、各画像表示機器への画像データを受け取り、各画像表示機器への画像データを、各画面表示機器の色補正データをもとに、色補正を施した後に、各画像表示機器に表示する工程とを含むことを特徴とするカラーマネージメント方法としたものである。
【発明の効果】
【００１１】
本発明は、携帯電話機のように、色補正データを保持して、この色補正データを、画面カラーの色補正に適用することのできない画面表示機器でも、色を忠実に再現することができるという効果がある。
【発明を実施するための最良の形態】
【００１２】
以下に、本発明の最良の一実施形態を説明する。
１．構成
インターネットには、図１に示すように、一つ又は複数の画面表示装置と、一つ又は複数のＷｅｂサイトと、本発明のカラーマネージメントシステムとが接続される。以後、画面表示装置、Ｗｅｂサイトと云えば、それぞれインターネットに接続されているものとする。
【００１３】
画面表示装置は、Ｗｅｂブラウザを有しており、この画面表示機器にて、ユーザは、このＷｅｂブラウザ用いて、各Ｗｅｂサイトを利用できる。
【００１４】
本発明のカラーマネージメントシステムは、図１に示すように、少なくとも、Ｗｅｂサーバと、データベースとを備える。
【００１５】
Ｗｅｂサーバは、画面表示機器にて、ユーザに、Ｗｅｂブラウザを用いて、カラーマネージメントシステムを利用させるためのものである。
【００１６】
データベースは、各画面表示機器の色補正データを保管するためのものである。
【００１７】
本発明のカラーマネージメントシステムは、以下の（１）〜（３）の機能を有するコンピュータシステムである。
【００１８】
（１）各画面表示装置に画面補正用画像を表示し、この画面補正用画像の色を、カラーシートに印刷されている画面補正用画像の色に合うように、ユーザに目視で色補正させることにより、各画面表示機器の色補正データを作成する機能。
【００１９】
（２）作成した各画面表示機器の色補正データを保管する機能。
【００２０】
（３）各Ｗｅｂサイトから、各画像表示機器への画像データを受け取り、各画像表示機器への画像データを、各画面表示機器の色補正データをもとに、色補正を施した後に、各画像表示機器に表示する機能。
【００２１】
カラーシートは、上述のように画面補正用画像が印刷されており、各ユーザに予め配布されるものである。図２に、カラーシートの例を示す。図２に示すカラーシート１には、画面補正用画像２として、カラーバーが印刷されている。
２．処理
以下、本発明のカラーマネージメントシステムが行うカラーマネージメント処理の流れ
の例を、図３のフローチャートに従って説明する。
Ｓ（ＳＴＥＰ）１；
ユーザは、画面表示機器にて、Ｗｅｂブラウザで、カラーマネージメントシステムのＵＲＬを入力して、画面表示機器を、カラーマネージメントシステムに接続する。
【００２２】
図４に、ＵＲＬを入力する画面の例を示す。図４の画面では、カラーマネージメントシステムのＵＲＬを入力して、接続ボタンを押すと、画面表示機器が、カラーマネージメントシステムに接続する。
Ｓ（ＳＴＥＰ）２；
カラーマネージメントシステムは、画面表示機器に画面補正用画像を表示し、この画面補正用画像の色を、カラーシートに印刷されている画面補正用画像の色に合うように、ユーザに目視で補正させる。このとき、画面表示機器を普段利用する光源下で補正させることが望ましい。
【００２３】
図５と図６に、それぞれ、ユーザに目視で色補正させる画面の例を示す。図５の画面では、画面補正用画像３の色を、図２に示すカラーシートの画面補正用画像２の色に合うように、ＲＧＢのカラーバランスをスライドバーで調整することにより、色補正を行う。図５の画面では、リセットボタンを押すと、スライドバーの位置が調整前に戻る。また図６の画面では、画面補正用画像４の色を、図２に示すカラーシートの画面補正用画像２の色に合うように、ＲＧＢのカラーバランスを数値入力で調整することにより、色補正を行う。
Ｓ（ＳＴＥＰ）３；
ユーザは、画面表示機器にて、色補正の内容を、カラーマネージメントシステムに送信する。
【００２４】
図５又は図６の画面の例では、決定ボタンを押すと、色補正の内容が、カラーマネージメントシステムに送信される。
Ｓ（ＳＴＥＰ）４；
カラーマネージメントシステムは、画面表示機器から送信された色補正の内容を受信して、この色補正の内容から、この画面表示機器の色補正データを作成する。
Ｓ（ＳＴＥＰ）５；
カラーマネージメントシステムは、作成した色補正データをデータベースに保管する。Ｓ（ＳＴＥＰ）６；
ユーザが、画面表示機器にて、カラーマネージメントシステムを経由して、Ｗｅｂサイトを利用すると、カラーマネージメントシステムは、Ｗｅｂサイトから、画像表示機器への画像データを受け取り、この画像データを、この画面表示機器の色補正データをもとに、色補正を施した後に、この画像表示機器に表示する。
【図面の簡単な説明】
【００２５】
【図１】本実施形態に係わるシステムの構成例を示す図。
【図２】カラーシートの例を示す図。
【図３】カラーマネージメント処理の流れの例を示すフローチャート。
【図４】ＵＲＬを入力する画面の例を示す図。
【図５】ユーザに目視で色補正をさせる画面の例を示す図。
【図６】ユーザに目視で色補正をさせる画面の例を示す図。
【符号の説明】
【００２６】
１…カラーシート
２…画面補正用画像
３…画面補正用画像
４…画面補正用画像
【図１】
2005217748.tif 000002
【図２】
2005217748.tif 000003
【図３】
2005217748.tif 000004
【図４】
2005217748.tif 000005
【図５】
2005217748.tif 000006
【図６】
2005217748.tif 000007